(57)【要約】【課題】  テレビジョン放送の野球中継をラジオ放送に引き継ぐ際に、ラジオ放送局をユーザが自ら探し出す手間を無くし、且つ、ラジオ放送局の選局等の作業を無くす。【解決手段】  携帯電話端末１０は、テレビジョン放送とラジオ放送を受信する機能を備え、テレビジョン放送局１から放送されている野球中継の視聴中に、その野球の試合がラジオ放送局３によるラジオ放送へ引き継ぎ可能であることを示す引継情報がテレビジョン放送局１から送信されると、その引継情報を取得して内部に登録する。そして、携帯電話端末１０は、テレビジョン放送局１からの野球中継が既定放送時間を超えて続く時、当該テレビジョン放送による野球中継の終了後に、ラジオ放送局１を自動選局し、当該ラジオ放送による野球中継の受信に自動的に切り替える。【選択図】  図１
2007258871.tif 000002
【特許請求の範囲】
【請求項１】
第１，第２の少なくとも二つの異なる放送媒体の放送信号を各々受信するための第１，第２の放送受信部と、
上記第１の放送媒体の放送コンテンツから引き継ぎ可能な上記第２の放送媒体の放送コンテンツを示すコンテンツ引継情報を取得する引継情報取得部と、
上記第１の放送受信部にて受信中の上記第１の放送媒体による放送コンテンツが終了した時、上記引継情報取得部が取得したコンテンツ引継情報に基づいて、上記第１の放送受信部による上記第１の放送媒体の放送コンテンツから、上記第２の放送受信部による上記第２の放送媒体の放送コンテンツへの受信切替制御を行う切替制御部と、
を有することを特徴とする放送受信装置。
【請求項２】
上記引継情報取得部は、上記第１の放送受信部が受信した上記第１の放送媒体の放送信号中に含まれる上記コンテンツ引継情報を取得することを特徴とする請求項１記載の放送受信装置。
【請求項３】
上記第１，第２の放送媒体とは異なる所定の通信媒体に接続するための通信接続部を備え、
上記引継情報取得部は、上記通信接続部を介して、上記所定の通信媒体上に用意されているコンテンツ引継情報提供装置へアクセスし、当該コンテンツ引継情報提供装置から上記コンテンツ引継情報を取得することを特徴とする請求項１記載の放送受信装置。
【請求項４】
当該装置の現在位置情報を取得する位置取得部を有し、
上記引継情報取得部は、上記コンテンツ引継情報の取得に先立ち、上記第１の放送受信部にて受信中の上記第１の放送媒体による放送コンテンツを示す情報と、上記位置情報取得部が取得した現在位置情報とを、上記通信接続部を介して上記コンテンツ引継情報提供装置へ送信することを特徴とする請求項３記載の放送受信装置。
【請求項５】
上記第１の放送媒体の放送コンテンツから引き継ぎ可能な上記第２の放送媒体の放送コンテンツを放送する放送局が複数あるとき、それら複数の放送局の一覧をユーザに提示するための提示部を有し、
上記切替制御部は、上記提示部上の複数の放送局の一覧からユーザが選択した放送局への受信切替制御を行うことを特徴とする請求項１記載の放送受信装置。
【請求項６】
上記切替制御部は、上記第１の放送受信部による上記第１の放送媒体の放送コンテンツから、上記第２の放送受信部による上記第２の放送媒体の放送コンテンツへの受信切替をユーザが指示した時にのみ、上記受信切替制御を行うことを特徴とする請求項１記載の放送受信装置。
【請求項７】
第１，第２の少なくとも二つの異なる放送媒体の放送信号のうち、第１の放送媒体の放送コンテンツを放送受信部にて受信するステップと、
上記第１の放送媒体の放送コンテンツから引き継ぎ可能な上記第２の放送媒体の放送コンテンツを示すコンテンツ引継情報を引継情報取得部が取得するステップと、
上記受信中の第１の放送媒体による放送コンテンツが終了した時、上記引継情報取得部にて取得したコンテンツ引継情報に基づいて、切替制御部が、上記放送受信部による上記第１の放送媒体の放送コンテンツから上記第２の放送媒体の放送コンテンツへの受信に切替制御を行うステップと、
を有することを特徴とする放送受信方法。
【発明の詳細な説明】
【技術分野】
【０００１】
本発明は、例えばテレビジョン放送及びラジオ放送を受信する機能を備えた放送受信装置、及び、例えばテレビジョン放送とラジオ放送を受信するための放送受信方法に関する。
【背景技術】
【０００２】
一般に、テレビジョン番組は放送される時間が予め決められている。したがって、殆どのテレビジョン番組は、その時間的な長さが既定の放送時間枠に合うように作られている。また、テレビジョン番組として放送されるコンテンツの中には、例えば野球の試合のように、開始から終了までの時間長が不確定なものも存在する。但し、一般的な野球中継番組では、例えば既定放送時間枠をオーバーして試合が継続されている場合であっても、既定放送終了時刻になった時点で、その野球中継を終了するようになされている。このように、野球中継が試合途中で終了してしまうと、ユーザはその試合を最後まで観戦出来なくなってしまう。
【０００３】
その一方で、野球中継の場合には、テレビジョン放送とラジオ放送で同じ試合が放送されていることも多い。このようにテレビジョン放送とラジオ放送とで同一の試合が中継されているような場合において、ユーザは、テレビジョン放送による野球中継の終了後、同じ試合を中継しているラジオ放送を聴くことにより、当該試合を継続観戦することができる。
【０００４】
なお、特開平４−１５７８８４号の公開特許公報（特許文献１）には、テレビジョン受像機にラジオ放送受信部を設け、当該ラジオ受信部は、ラジオ放送の周波数を予め記憶し、その記憶した周波数のラジオ局を自動的に選局するプリセット手段を有し、テレビジョン放送のチャンネルとプリセット手段とを対応付けることにより、例えば野球中継などのようにテレビジョン放送とラジオ放送で同一の試合が放送されるような場合に、その野球中継をテレビジョン放送とラジオ放送で切り替えて視聴可能としたテレビジョン受像機が開示されている。
【０００５】
【特許文献１】特開平４−１５７８８４号公報（第１図、第２図参照）
【発明の開示】
【発明が解決しようとする課題】
【０００６】
ところで、上述したようにテレビジョン放送とラジオ放送とで同一の試合が中継されているような場合において、テレビジョン放送による野球中継の途中終了後、同一試合を中継しているラジオ放送を聴くためには、ユーザは、上記テレビジョン放送されていたのと同じ試合が何れのラジオ局から放送されているのかを知る必要がある。一般的には、ユーザは、例えば新聞等のラジオ番組欄を見ること、若しくは、テレビジョン放送の野球中継終了後にアナウンスされる内容（例えばラジオ放送による野球中継に関する情報）を視聴することにより、何れのラジオ局により同試合が中継されているのかを知る。そして、ユーザは、例えば自分自身でラジオ受信機を操作し、上記ラジオ番組欄若しくは上記アナウンスにより知ったラジオ局の放送周波数へ、当該ラジオ受信機のチューナの周波数を合わせることにより、上記テレビジョン放送にて途中終了した野球中継を聴取可能となる。
【０００７】
すなわち、ユーザは、テレビジョン放送による野球中継の途中終了後、同一試合を中継しているラジオ放送を聴くためには、自ら新聞のラジオ番組欄を見るなどして同試合のラジオ中継番組の存在及びその中継を行っているラジオ局を確認しなければならず、さらに、自らラジオ受信機を操作して当該ラジオ局の選局作業等を行わなければならず、非常に手間が掛かり且つ煩雑な作業を行わなければならない。
【０００８】
本発明は、このような実情に鑑みて提案されたものであり、例えばテレビジョン放送とラジオ放送のような異なる二つ以上の放送媒体を用いて同一のコンテンツの番組が放送されているような場合において、一方の放送媒体での放送終了後に他方の放送媒体で当該コンテンツの番組を受信する際に、当該コンテンツを放送している他方の放送媒体をユーザが自ら探し出す手間を無くし、且つ、他方の放送媒体においてユーザによる選局等の作業を無くすことを可能とする放送受信装置及び放送受信方法を提供することを目的とする。
【課題を解決するための手段】
【０００９】
本発明の放送受信装置は、第１，第２の少なくとも二つの異なる放送媒体の放送信号を各々受信するための第１，第２の放送受信部と、第１の放送媒体の放送コンテンツから引き継ぎ可能な第２の放送媒体の放送コンテンツを示すコンテンツ引継情報を取得する引継情報取得部と、受信中の第１の放送媒体による放送コンテンツが終了した時、コンテンツ引継情報に基づいて、第１の放送受信部による第１の放送媒体の放送コンテンツから、第２の放送受信部による第２の放送媒体の放送コンテンツへの受信切替制御を行う切替制御部とを有することにより、上述した課題を解決する。
【００１０】
また、本発明の放送受信方法は、第１，第２の少なくとも二つの異なる放送媒体の放送信号のうち、第１の放送媒体の放送コンテンツを受信するステップと、第１の放送媒体の放送コンテンツから引き継ぎ可能な第２の放送媒体の放送コンテンツを示すコンテンツ引継情報を取得するステップと、受信中の第１の放送媒体による放送コンテンツが終了した時、コンテンツ引継情報に基づいて、第１の放送媒体の放送コンテンツから第２の放送媒体の放送コンテンツへの受信に切替制御を行うステップとを有することにより、上述した課題を解決する。
【００１１】
すなわち、本発明によれば、第１の放送媒体の放送コンテンツの受信中にコンテンツ引継情報を取得し、第１の放送媒体による放送コンテンツが終了した時に、コンテンツ引継情報に基づいて第２の放送媒体の放送コンテンツへの受信に自動的に切り替えるようにしている。
【発明の効果】
【００１２】
本発明によれば、第１の放送媒体の放送コンテンツの受信中に取得したコンテンツ引継情報に基づいて、第１の放送媒体による放送コンテンツが終了した時に、第２の放送媒体の放送コンテンツへの受信に自動的に切り替えるようにしているため、例えば、テレビジョン放送とラジオ放送のような異なる二つ以上の放送媒体を用いて同一のコンテンツの番組が放送されているような場合において、一方の放送媒体での放送終了後に他方の放送媒体で当該コンテンツの番組を受信する際に、当該コンテンツを放送している他方の放送媒体をユーザは自ら探し出す必要がなく、且つ、他方の放送媒体においてユーザが選局等の作業を行わなくても良くなる。
【発明を実施するための最良の形態】
【００１３】
以下、図面を参照しながら、本発明の一実施形態について説明する。
【００１４】
以下、本発明の放送受信装置及び放送受信方法の一実施形態では、テレビジョン放送とラジオ放送のような異なる少なくとも二つ以上の放送媒体による放送信号を受信可能な機能を備えた携帯電話端末を例に挙げて説明する。なお、以下に説明する内容はあくまで一例であり、本発明はこの例に限定されないことは言うまでもない。
【００１５】
〔第１の実施形態の概要〕
近年は、テレビジョン放送やラジオ放送が一部デジタル化されており、一般家庭用のテレビジョン受像機やラジオ受信機用のデジタル放送だけでなく、携帯端末向けのデジタルテレビジョン放送も開始されることになっている。なお、携帯端末向けのデジタルテレビジョン放送はいわゆる「ワンセグ」と称されている。一方、携帯端末側においても、上記「ワンセグ」に対応した機種が製品化されており、従来のアナログテレビジョン放送やアナログラジオ放送の受信機能のみならず、デジタルテレビジョン放送やデジタルラジオ放送の受信機能も搭載されつつある。
【００１６】
また、デジタル放送では、番組に付随した様々なデータや番組表を受信端末へ送信可能となされている。したがって、例えば野球中継で試合延長等により番組が延長されるような場合、デジタル放送では、その番組延長に関する情報を受信端末へ伝達することができる。したがって、受信端末側では、その情報を基に、例えば録画中であればその録画時間を自動的に延長するような様々な制御が可能になる。
【００１７】
一方、テレビジョン放送及びラジオ放送の両受信機能を搭載した携帯電話端末の場合、その一つの携帯電話端末内においてテレビジョン放送とラジオ放送の双方を利用可能となされているため、例えば、テレビジョン放送の視聴からラジオ放送の聴取への切り替えなどは実現可能であると考えられる。
【００１８】
そこで、本発明の第１の実施形態では、例えば野球中継のように、例えばテレビジョン放送とラジオ放送のような第１，第２の異なる二つの放送媒体を用いて同一のコンテンツの番組が放送されている場合において、第１の放送媒体では、当該コンテンツの番組放送を終了する際に、同コンテンツが他方の第２の放送媒体でも放送されていることを示すコンテンツ引継情報を放送することとする。一方、それら第１，第２の放送媒体による放送信号の受信機能を備えた携帯電話端末では、上記第１の放送媒体を通じて放送されたコンテンツ引継情報に基づいて、当該第１の放送媒体にて放送された同コンテンツが引き続き第２の放送媒体にて放送されることをユーザへ知らせると共に、当該ユーザから第２の放送媒体を通じて同コンテンツを受信すべきことの指示がなされた時に、上記同コンテンツの番組を放送している第２の放送媒体への切り替えを自動的に行う。
【００１９】
これにより、第１の実施形態によれば、携帯電話端末のユーザは、第１の放送媒体によるコンテンツの番組放送終了後に、同コンテンツの番組を放送している第２の放送媒体を自ら探し出す必要が無く、また、第２の放送媒体にて同コンテンツの番組を放送している放送局を探す（選局）作業を行わなくても済む。
【００２０】
すなわち、第１の実施形態において、例えば図１に示すように、テレビジョン放送による野球中継が途中終了する際、当該テレビジョン放送を行っているテレビジョン放送局１は、例えば図２に示すようないわゆるＥＰＧ（電子番組案内）や、マルチメディア情報サービスで使用されるＢＭＬ（Broadcast Markup Language）の一部、或いは、いわゆるデータカルーセル伝送方式と呼ばれる方法などを利用して、その野球の試合をラジオ放送にて引き継ぎできることを示すフラグや、ラジオ放送により野球中継を行うラジオ放送局名、そのラジオ放送局の放送周波数の情報を、上記コンテンツ引継情報２として放送する。
【００２１】
そして、上記コンテンツ引継情報２を受け取った携帯電話端末１０は、当該野球中継を引き継ぐラジオ放送局３のラジオ放送を受信できる場合、上記テレビジョン放送による野球中継の終了時（番組終了は図２のＥＰＧで知ることが可能である）に、図３に示すように、当該野球の試合がラジオ放送により引き続き聴取可能である旨をディスプレイ１１上に表示する。
【００２２】
その後、携帯電話端末１０は、その野球中継をラジオ放送にて聴取する旨の指示が操作部１２を通じてユーザから入力された場合、先に受信したコンテンツ引継情報２を基に、該当する野球中継を受信するように、ラジオ放送受信機能を起動させると同時に受信周波数の自動設定を行う。なお、もしも複数のラジオ放送局で同野球中継の引き継ぎが可能である場合、携帯電話端末１０は、それら引き継ぎ可能なラジオ放送局の一覧をディスプレイ１１に表示し、ユーザにそれら複数のラジオ放送局の何れを用いるかの選択を行わせるようにしても良い。そして、携帯電話端末１０は、上記ユーザにより選択されたラジオ放送局への選局を自動で行う。
【００２３】
以上により、携帯電話端末１０のユーザは、テレビジョン放送による野球中継の番組放送終了後に、自らがラジオ受信機能を操作したり、ラジオ放送局の選局作業を行わなくても、同じ野球の試合をラジオ放送にて引き続き聴取可能となる。
【００２４】
〔携帯電話端末の内部構成〕
図４には、本発明実施形態の携帯電話端末１０の概略的な内部回路構成を示す。
【００２５】
図４において、データラインは、音声データや電子メールデータ、映像データなどの各種データを伝送するための伝送ラインである。制御ラインは、ＣＰＵ（中央処理ユニット）により構成されている制御部３０からの制御データなど、各種制御情報を伝送するための伝送ラインである。
【００２６】
セルラ用アンテナ３３は、携帯電話網の基地局との間で信号電波の送受信を行うためのアンテナであり、セルラ通信部３２に接続されている。セルラ通信部３２は、送受信信号の周波数変換、変調と復調等を行う。
【００２７】
上記セルラ用アンテナ３３及びセルラ通信部３２にて受信された通話音声データは制御部３０による復号等の処理を受けた後、スピーカ４０へ送られ、それ以外の受信データは、制御部３０にて適切に処理された後、必要に応じて当該制御部３０から各部へ送られる。
【００２８】
スピーカ４０は、端末本体に内蔵され、供給された通話音声データや後述するＡＶコーデック部３８から供給されたテレビジョン番組やラジオ番組の音声データをアナログ信号に変換し、そのアナログ音声信号を内部増幅器により増幅した後、その音声信号を可聴音声に変換して外部に出力する。これにより、スピーカ４０からは通話音声やテレビジョン番組，ラジオ番組の音声が出力されることになる。
【００２９】
マイクロホン４１は、端末本体に内蔵され、入力音声をアナログ音声信号に変換すると共に内部増幅器により増幅し、さらにそのアナログ音声信号を制御部３０に送る。当該マイクロホン４１から通話音声信号が供給された時の制御部３０は、その通話音声信号をディジタル音声データに変換した後に符号化し、さらにその符号化後の通話音声データをセルラ通信部３２へ送る。これにより、セルラ用アンテナ３３からは通話音声データが送信されることになる。
【００３０】
ＴＶ用アンテナ３５は、テレビジョン放送電波を受信するためのアンテナであり、ＴＶチューナ部３４に接続されている。ＴＶチューナ部３４は、ＴＶ用アンテナ３５により受信されたテレビジョン放送信号の復調やアナログ／デジタル変換，符号化されているデータの復号等の処理を行う。当該ＴＶ用チューナ部３４にて復調及び復号されたテレビジョン放送データは、ＡＶコーデック部３８へ直接送られる。
【００３１】
ラジオ用アンテナ３７は、ラジオ放送電波を受信するためのアンテナであり、ラジオチューナ部３６に接続されている。ラジオチューナ部３６は、ラジオ用アンテナ３７により受信されたラジオ放送信号の復調やアナログ／デジタル変換，符号化されているデータの復号等の処理を行う。当該ラジオ用チューナ部３６にて復調及び復号されたラジオ放送データは、ＡＶコーデック部３８へ直接送られる。
【００３２】
また、テレビジョン番組の録画やラジオ番組の録音が行われる場合、上記テレビジョン放送データやラジオ放送データは、ＨＤＤ（ハードディスクドライブ）若しくは不揮発性大容量メモリからなる大容量記録部４４に送られて保存される。なお、言うまでもないが、大容量記録部４４は、テレビジョン放送データやラジオ放送データ以外の各種のデータの記録にも使用される。
【００３３】
ＡＶコーデック部３８は、圧縮符号化されているテレビジョン放送データやラジオ放送データを伸長復号化し、テレビジョン番組の映像及び音声（ＡＶ）データやラジオ番組の音声データを復元する。上記テレビジョン番組のＡＶデータのうち、映像データは表示部４２へ送られ、音声データは上記スピーカ４０へ送られ、一方、上記ラジオ番組の音声データは上記スピーカ４０へ、送られる。
【００３４】
表示部４２は、液晶ディスプレイ等とその液晶ディスプレイを駆動するためのディスプレイ駆動回路とからなる。ディスプレイ駆動回路は、制御部３０から供給された各種画面やテキストの表示データ、ＡＶコーデック部３８から供給されたテレビジョン番組の映像データに基づいて、上記液晶ディスプレイを駆動する。これにより、ディスプレイには、各種画面やテキスト、テレビジョン番組の映像等が表示される。
【００３５】
操作部４３は、図示しないテンキー（キーボード）や電源ボタン、発話／終話ボタン、図１に示したジョグダイヤル等の操作部１２と、それら操作部の操作に応じた操作信号を発生する操作信号発生器とからなる。ユーザは、この操作部４３を操作することにより、通話のための発着呼や電子メール文の作成、電子メールの送受信、インターネットへの接続、テレビジョン放送局の選局やテレビジョン番組の視聴、録画、録画予約、再生、ラジオ放送局の選局やラジオ番組の聴取、録音、再生等の各種指示操作を行うことができる。
【００３６】
ＬＡＮ通信部４５とＬＡＮ用アンテナ４６は、本実施形態の携帯電話端末が無線ＬＡＮ通信を行うためのデバイスである。本実施形態の携帯電話端末は、これらＬＡＮ通信部４５とＬＡＮ用アンテナ４６を通じて、無線ＬＡＮのアクセスポイントへアクセスすることで、例えばインターネット等に接続可能となされている。
【００３７】
ＧＰＳ処理部４７は、ＧＰＳ（Global Positioning System）における測地衛星の発信する電波をＧＰＳ用アンテナ４８を介して受信すると共に、その受信電波に基づいて、自端末の現在位置の緯度及び経度を求める。このＧＰＳ処理部４７がＧＰＳ用アンテナ４８を介して受信したＧＰＳデータ（緯度，経度を表す情報）は制御部３０へ送られる。これにより、制御部３０は、自端末の現在位置を知ることができる。
【００３８】
メモリ部３１は、ＲＯＭ（Read Only Memory）とＲＡＭ（Random Access Memory）を含む。ＲＯＭは、ＯＳ（Operating System）、制御部３０が各部を制御するための制御プログラムコード、各種の初期設定値、フォントデータ、辞書データ、着信音やキー操作音等の各種音データ、本実施形態にかかるテレビジョン放送の受信及び視聴や録画、再生処理、ラジオ放送の受信及び聴取や録音、再生処理、コンテンツ引継情報の受信と当該情報に基づく番組引継のための各処理などの各種制御を行うためのプログラムコード、その他、当該端末に搭載される各種のアプリケーション用のプログラムコード、当該端末の機器識別情報（ＩＤ）などを記憶している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、辞書データ、着信音データ、電子メールデータ、電話帳や電子メールアドレス帳のデータ、スケジュール帳のデータ等の様々なデータ、その他、各種のユーザ設定値等を保存することも可能となされている。ＲＡＭは、制御部３０が各種のデータ処理を行う際の作業領域として、随時データを格納する。
【００３９】
制御部３０は、ＣＰＵからなり、上記メモリ部３１に記憶されているＯＳや各種プログラムに基づいて、当該端末の様々な制御、本実施形態にかかるテレビジョン番組の視聴や録画、ラジオ番組の聴取や録音、番組引継のための受信機能の切り替え等の処理を行う。
【００４０】
その他、図４には図示を省略しているが、本実施形態の端末は、ディジタルカメラ部や電子財布機能、バッテリ、電力制御機能、近距離通信機能など、一般的な携帯電話端末が備えている各構成要素についても備えている。
【００４１】
〔第１の実施形態における番組引継動作のフローチャート〕
図５には、第１の実施形態の携帯電話端末にて行われる番組引継処理の流れを示す。この図５のフローチャートは、主に、携帯電話端末の制御部３０が行う制御の流れを示す。
【００４２】
図５において、制御部３０は、ステップＳ１の処理として、テレビジョン放送の受信中にテレビジョン放送信号にコンテンツ引継情報が含まれている場合には、ＴＶチューナ部３４を通じて当該コンテンツ引継情報も受信し、その情報を内部のメモリ部３１へ保存（登録）する。
【００４３】
また、制御部３０は、ステップＳ２の処理として、テレビジョン放送を受信している間、例えばＥＰＧの情報を基に、現在受信しているテレビジョン放送のコンテンツ（番組）が終了するか否か判断しており、そのコンテンツが終了すると判断した時にステップＳ３へ処理を進める。
【００４４】
ステップＳ３の処理に進むと、制御部３０は、上記コンテンツ引継情報を基に、上記テレビジョン放送のコンテンツの内容を引き継ぐラジオ番組が存在するか否か判断する。そして、制御部３０は、当該ステップＳ３にてラジオ放送への引継情報があると判断した場合にはステップＳ４へ処理を進め、一方、引継情報が無いと判断した場合にはステップＳ１０にてテレビジョン放送のコンテンツの視聴を継続する処理を行う。
【００４５】
上記ステップＳ３にてラジオ放送への引継情報が有ると判断してステップＳ４へ処理を進めると、制御部３０は、上記引継情報の内容、つまり前述した図３の例のように、テレビジョン放送のコンテンツと同じコンテンツのラジオ番組が存在することをユーザへ知らせるための表示を行う。
【００４６】
次に、制御部３０は、ステップＳ５の処理として、ユーザが上記ラジオ放送されるコンテンツへの引き継ぎを上記操作部４３（図１の制御部１２）を通じて指示したか否かの判断を行い、引き継ぎの指示が行われたときにはステップＳ６へ処理を進め、一方、引き継ぎの指示が行われなかったときにはステップＳ１０にてテレビジョン放送のコンテンツの視聴を継続する処理を行う。
【００４７】
上記ステップＳ５にてラジオ放送のコンテンツへの引き継ぎがユーザにより指示されたと判断してステップＳ６の処理に進むと、制御部３０は、上記コンテンツ引継情報を基に、上記テレビジョン放送のコンテンツを引き継ぐラジオ放送局は複数あるか否かを判断し、ラジオ局が複数有るときにはステップＳ７へ処理を進め、ラジオ放送局が一つのみであるときにはステップＳ９へ処理を進める。
【００４８】
ステップＳ６にて上記テレビジョン放送のコンテンツを引き継ぐラジオ放送局が一つのみと判断してステップＳ９へ処理を進めた場合、制御部３０は、ラジオチューナ部３６を起動させると共に、当該ラジオチューナ部３６の受信周波数を上記ラジオ放送局の放送周波数へ合わせる選局処理を行って、当該ラジオ放送局のラジオ番組を自動的に受信するように制御した後、当該図５のフローチャートに示した番組引継処理を終了する。
【００４９】
一方、ステップＳ６にて上記テレビジョン放送のコンテンツを引き継ぐラジオ放送局が複数存在すると判断してステップＳ７へ処理を進めた場合、制御部３０は、それら複数のラジオ放送局に関する情報を表示部４２のディスプレイ上に表示させると共に、それら複数のラジオ放送局の何れを選択するのかをユーザに問うメッセージ等をディスプレイ上に表示させる。
【００５０】
そして、上記複数のラジオ放送局の何れか一つが、操作部４３を通じてユーザにより選択されると、制御部３０は、ラジオチューナ部３６を起動させると共に、当該ラジオチューナ部３６の受信周波数を上記ユーザが選択したラジオ放送局の放送周波数へ合わせる選局処理を行って、当該ラジオ放送局のラジオ番組を自動的に受信するように制御した後、当該図５のフローチャートに示した番組引継処理を終了する。
【００５１】
〔第２の実施形態の概要〕
上述した第１の実施形態では、第１の放送媒体によるコンテンツの番組放送終了の際に、同コンテンツが第２の放送媒体でも放送されることを示すコンテンツ引継情報を、第１の放送媒体を通じて携帯電話端末へ送出する例を挙げた。このような第１の実施形態の手法は、例えば第１の放送媒体の放送局と第２の放送媒体の放送局が例えば同系列の放送局であるような場合に実現が容易である。つまり、第１の放送媒体と第２の放送媒体の両放送局が各々放送するコンテンツとその放送時間に関する情報を、両放送局間で共有可能となされている場合に実現が容易となる。
【００５２】
これに対し、例えば第１の放送媒体の放送局と第２の放送媒体の放送局が異なる系列の放送局であるような場合（つまり、両放送局間でコンテンツに関する情報共有がなされていない場合）には、第１の実施形態のような手法を採用することは難しいと考えられる。
【００５３】
そこで、本発明の第２の実施形態では、例えばインターネットのような別の通信媒体を通じて、第１の放送媒体の放送局と第２の放送媒体の放送局間のおけるコンテンツの引継情報を提供可能とすることにより、例えば第１の放送媒体の放送局と第２の放送媒体の放送局が異なる系列の放送局であっても、携帯電話端末がコンテンツ引継情報を取得できるようにする。
【００５４】
すなわち本発明の第２の実施形態では、図６に示すように、前述同様のコンテンツ引継情報を提供するためのサーバ（以下、引継情報提供サーバ４とする。）がインターネット上に設けられており、携帯電話端末１０は、第１の放送媒体によるコンテンツの引継情報が必要な場合には、例えば携帯電話網や無線ＬＡＮ等を通じてインターネットへ接続して上記引継情報提供サーバ４へアクセスし、当該引継情報提供サーバ４からコンテンツ引継情報を取得する。
【００５５】
この第２の実施形態の場合、引継情報提供サーバ４は、少なくとも、第１の放送媒体に属する全ての放送局から放送される全コンテンツの具体的な番組内容及びそれら全コンテンツの番組放送時間に関する最新の情報と、第２の放送媒体に属する全ての放送局から放送される全コンテンツの具体的な番組内容及びそれら全コンテンツの番組放送時間に関する最新の情報とを蓄積している。
【００５６】
そして、引継情報提供サーバ４は、例えば、携帯電話端末１０から第１の放送媒体で放送されている或るコンテンツを第２の放送媒体で放送されるコンテンツへ引き継ぐことに関する問い合わせが送られてきた場合に、その問い合わせに係るコンテンツについて第２の放送媒体で引き継ぎ可能なコンテンツがあるかどうか調べ、引き継ぎ可能なコンテンツがある場合には、前述同様のコンテンツ引継情報を当該携帯電話端末１０へ返答する機能を備えている。なお、当該引継情報提供サーバ４からの上記コンテンツ引継情報の返答は、インターネットを通じて直接携帯電話端末１０に送られても良いし、例えば電子メール等のメッセージサービスを通じて行われても良い。
【００５７】
ここで、前述した第１の実施形態の場合、第１の放送媒体の放送局が送出するコンテンツ引継情報は、当該第１の放送媒体の各放送局における放送エリア内に存在している携帯電話端末が受信可能であると推定される第２の放送媒体の放送局が放送するコンテンツのみを引継対象とすれば良い。これに対し、本発明の第２の実施形態の場合、引継情報提供サーバ４はインターネット上に用意されているため、当該サーバ４にはあらゆる地域の携帯電話端末１０から上記問い合わせが送られてくる可能性がある。つまり、引継情報提供サーバ４は、それら問い合わせを行ってきた各携帯電話端末１０の現在位置が判らなければ、それら各携帯電話端末１０が各々受信可能な第２の放送媒体の放送局を推定することができず、それら各携帯電話端末１０に対してコンテンツ引継情報の返答を行うことができないことになる。
【００５８】
このようなことから、本発明の第２の実施形態の場合、各携帯電話端末１０は、上記問い合わせを行う際に、現在受信中の第１の放送媒体のコンテンツに関する情報と共に自端末の現在位置に関する情報を引継情報提供サーバ４へ送るようになされており、引継情報提供サーバ４は、上記携帯電話端末１０から送られてきた上記受信中のコンテンツ及び現在位置に関する情報を基に、その携帯電話端末１０が受信可能な第２の放送媒体の放送局を推定した上で、当該携帯電話端末１０に対してコンテンツ引継情報の返答を行うようになされている。
【００５９】
なお、上記現在位置に関する情報は、携帯電話端末１０のユーザ自らが自分の居る場所を調べた位置情報でも良いが、現在位置をユーザ自らが調べることは、ユーザにとって負担が大きく、余分な手間がかかることになる。このため、本実施形態の場合は、上記携帯電話端末１０が、例えば基地局情報から現在位置を求めたり、ＧＰＳ機能を使用して現在位置を求め、その現在位置情報を上記問い合わせの際に引継情報提供サーバ４へ送るようになされている。
【００６０】
以上により、本発明の第２の実施形態によれば、携帯電話端末１０のユーザは、例えばテレビジョン放送による野球中継の番組放送終了後に、自らがラジオ受信機能を操作したり、ラジオ放送局の選局作業を行わなくても、同じ野球の試合をラジオ放送にて引き続き聴取可能となる。
【００６１】
〔第２の実施形態における番組引継動作のフローチャート〕
図７には、第２の実施形態の携帯電話端末にて行われる番組引継処理の流れを示す。この図７のフローチャートは、主に、前述した図７の携帯電話端末の制御部３０が行う制御の流れを示す。また、当該図７において、前述の図５に示したフローチャートの各ステップと同じ処理が行われるステップには、図５と同じ指示符号を付してそれらの説明は省略し、図５とは異なるステップのみ説明する。
【００６２】
図７において、制御部３０は、先ず、ステップＳ２０の処理として、現在受信中の第１の放送媒体で放送されているコンテンツを、第２の放送媒体で放送されるコンテンツへ引き継ぐことに関する問い合わせを行う場合、現在受信中の第１の放送媒体のコンテンツに関する情報と共に、例えばＧＰＳ等により測定した自端末の現在位置に関する情報を、例えば携帯電話網や無線ＬＡＮ等を通じてインターネット上の引継情報提供サーバ４へ送出する。
【００６３】
そして、制御部３０は、引継情報提供サーバ４からコンテンツの引継情報を取得すると、その情報を内部のメモリ部３１へ保存（登録）する。
【００６４】
その後、制御部３０は、前述のステップＳ２以降へ処理を進め、ステップＳ３にてラジオ放送への引継情報が有ると判断してステップＳ４へ処理を進めると、上記引継情報提供サーバ４から取得したコンテンツ引継情報の内容、つまり前述した図３の例のように、テレビジョン放送のコンテンツと同じコンテンツのラジオ番組が存在することをユーザへ知らせるための表示を行う。これ以降の処理は、前述の図５と同様である。
【００６５】
〔まとめ〕
以上説明したように、本発明実施形態によれば、テレビジョン放送局１若しくは引継情報提供サーバ４から取得したコンテンツ引継情報を基に、例えば野球中継等の番組をラジオ放送へ自動的に引き継ぎ可能となされているため、ユーザは自らラジオ受信機能を操作して野球中継を行っているラジオ放送局３の選局を行う必要がなく、ユーザの手間を少なくし、テレビジョン視聴やラジオ聴取の際のユーザの利便性を高めることができる。
【００６６】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００６７】
本発明の放送受信装置及び放送受信方法は、上述した実施形態に挙げた携帯電話端末に限定されず、テレビジョン放送及びラジオ放送を受信する機能を備えたＰＤＡ（Personal Digital Assistants）、カーナビゲーションシステム、携帯型のＡＶ機器等様々な携帯端末にも適用可能である。
【００６８】
また、上述の実施形態では、テレビジョン放送とラジオ放送とで番組の引き継ぎを行う例を挙げたが、例えばテレビジョン放送間での番組の引き継ぎや、ラジオ放送間での番組引き継ぎ、或いは、テレビジョン放送とインターネットを用いた放送との間での番組の引き継ぎ、ラジオ放送とインターネットを用いた放送との間での番組の引き継ぎなどにも、本発明は適用可能である。
【図面の簡単な説明】
【００６９】
【図１】本発明の第１の実施形態の携帯電話端末によるテレビジョン放送からラジオ放送への番組引き継ぎイメージの説明に用いる図である。
【図２】ＥＰＧの一例を示す図である。
【図３】テレビジョン放送からラジオ放送へ野球中継を引き継ぐことをユーザに問う際のディスプレイ画面例を示す図である。
【図４】本発明実施形態の携帯電話端末の概略的な内部回路構成を示すブロック図である。
【図５】本発明の第１の実施形態の携帯電話端末にて行われる番組引継処理の流れを示すフローチャートである。
【図６】本発明の第２の実施形態の携帯電話端末によるテレビジョン放送からラジオ放送への番組引き継ぎイメージの説明に用いる図である。
【図７】本発明の第２の実施形態の携帯電話端末にて行われる番組引継処理の流れを示すフローチャートである。
【符号の説明】
【００７０】
１  テレビジョン放送局、２  コンテンツ引継情報、３  ラジオ放送局、４  引継情報提供サーバ、１０  携帯電話端末、１１  ディスプレイ、１２，４３  操作部、３０  制御部、３１  メモリ部、３２  セルラ通信部、３３  セルラ用アンテナ、３４  ＴＶチューナ部、３５  ＴＶ用アンテナ、３６  ラジオチューナ部、３７  ラジオ用アンテナ、３８  ＡＶコーデック部、４０  スピーカ、４１  マイクロホン、４２  表示部、４４  大容量記録部、４５  ＬＡＮ通信部、４６  ＬＡＮ用アンテナ、４７  ＧＰＳ処理部、４８  ＧＰＳ用アンテナ
【図１】
2007258871.tif 000003
【図２】
2007258871.tif 000004
【図３】
2007258871.tif 000005
【図４】
2007258871.tif 000006
【図５】
2007258871.tif 000007
【図６】
2007258871.tif 000008
【図７】
2007258871.tif 000009